(57)【要約】【課題】  発光ユニット単独で使用する場合に両手を自由に使用できると共に、照明装置本体に取り付けて使用する場合に前記ストラップが邪魔にならない照明装置を提供すること。【解決手段】  光源としての発光ダイオード１６及び二次電池１７を有する単独で使用可能な発光ユニット３を照明装置本体２に対して着脱自在とし、前記発光ユニット３に、ストラップ２２と支持体１２を設け、前記ストラップ２２の不使用時に、前記支持体１２を前記発光ユニット３の外殻体１１に被せて前記ストラップ２２が邪魔にならないように前記支持体１２の内側に収容することができると共に、前記発光ユニット３を単独で使用する際に、前記支持体１２を前記発光ユニット３の反投光方向に突出させることで、前記ストラップ２２を首等に掛けた状態で、前記発光ユニット３を前記支持体１２によって使用者の正面を照射する姿勢に支持することができる。【選択図】図２
2007207564.tif 000002
【特許請求の範囲】
【請求項１】
照明装置本体と、この照明装置本体に対して着脱自在に設けられた発光ユニットとを有し、前記発光ユニットが、光源と、この光源に電力を供給するための電池を有すると共に、前記発光ユニットが前記照明装置本体から取り外された状態で使用可能な照明装置において、前記発光ユニットに、この発光ユニットを身体に装着するためのストラップと、前記発光ユニットを身体に装着した際にこの発光ユニットの姿勢を保つための支持体とを設け、前記支持体を、前記発光ユニットを前記照明装置本体に取り付けて使用する際に、前記発光ユニットの外殻体の外側に位置させることで、前記ストラップを前記外殻体と支持体との間に収容すると共に、前記発光ユニットを前記照明装置本体から取り外して使用する際に、前記発光ユニットの反投光方向に突出可能に構成したことを特徴とする照明装置。
【請求項２】
前記支持体が可撓性及び弾性を有して変形可能に構成されていると共に、前記支持体が、弾性変形により、前記外殻体の外面を覆う形態と、前記発光ユニットの反投光方向に突出させた形態とを採り得る構造としたことを特徴とする請求項１記載の照明装置。
【請求項３】
前記支持体が、前記外殻体に対して順逆向きに着脱自在に設けられていることを特徴とする請求項１記載の照明装置。
【発明の詳細な説明】
【技術分野】
【０００１】
本発明は、電気スタンド等の照明装置に関するものであり、特に、停電時等に携帯型の照明装置として使用可能な照明装置に関するものである。
【背景技術】
【０００２】
従来、この種の照明装置としては、ケース（本願発明の外殻体に相当する）内にＬＥＤ（本願発明の光源に相当する）、点灯回路、バッテリー（本願発明の電池に相当する）及び電球口金を有し、電球口金ソケットに装着することで交流電源から供給される電力によってＬＥＤを点灯させると共に、停電時或いは電球口金ソケットから取り外した場合に前記バッテリーから供給される電力によってＬＥＤを点灯させる電球型ＬＥＤランプが知られている（例えば、特許文献１参照。）。
【特許文献１】特開２００５−１２３０４５号公報
【発明の開示】
【発明が解決しようとする課題】
【０００３】
しかしながら、このようなＬＥＤランプを前記ソケットから取り外して使用する場合、前記ＬＥＤランプを手で把持しなければならず、災害時等に多くのものを持たなければならないような状況では使いにくいという問題があった。そこで、首等に掛けるためのストラップを前記ＬＥＤランプに取り付けることが考えられる。しかしながら、前記ＬＥＤランプに前記ストラップを単に取り付けるだけでは、前記ＬＥＤランプの姿勢が不安定であるため、所望の方向に投光することができないという問題があった。また、前記ＬＥＤランプを前記ソケットに取り付けて使用する際に、前記ストラップが邪魔になってしまうという問題があった。
【０００４】
本発明は以上の問題点を解決し、発光ユニット単独で使用する場合に両手を自由に使用できると共に、照明装置本体に取り付けて使用する場合に前記ストラップが邪魔にならない照明装置を提供することを目的とする。
【課題を解決するための手段】
【０００５】
本発明の請求項１に記載の照明装置は、照明装置本体と、この照明装置本体に対して着脱自在に設けられた発光ユニットとを有し、前記発光ユニットが、光源と、この光源に電力を供給するための電池を有すると共に、前記発光ユニットが前記照明装置本体から取り外された状態で使用可能な照明装置において、前記発光ユニットに、この発光ユニットを身体に装着するためのストラップと、前記発光ユニットを身体に装着した際にこの発光ユニットの姿勢を保つための支持体とを設け、前記支持体を、前記発光ユニットを前記照明装置本体に取り付けて使用する際に、前記発光ユニットの外殻体の外側に位置させることで、前記ストラップを前記外殻体と支持体との間に収容すると共に、前記発光ユニットを前記照明装置本体から取り外して使用する際に、前記発光ユニットの反投光方向に突出可能に構成したものである。
【０００６】
また、本発明の請求項２に記載の照明装置は、請求項１において、前記支持体が可撓性及び弾性を有して変形可能に構成されていると共に、前記支持体が、弾性変形により、前記外殻体の外面を覆う形態と、前記発光ユニットの反投光方向に突出させた形態とを採り得る構造としたものである。
【０００７】
更に、本発明の請求項３に記載の照明装置は、請求項１において、前記支持体が、前記外殻体に対して順逆向きに着脱自在に設けられているものである。
【発明の効果】
【０００８】
本発明の請求項１に記載の照明装置は、以上のように構成することにより、前記発光ユニットを前記照明装置本体に取り付けて使用する場合には、前記支持体を前記外殻体の外側に位置させて前記ストラップを前記支持体と外殻体の間に収容することで、前記ストラップが邪魔或いは目障りとならないようにすることができる一方、前記発光ユニット単独で使用する場合には、前記支持体を前記発光ユニットの反投光側に突出させた状態とすることで、前記ストラップが取り出され、この取り出されたストラップによって前記発光ユニットを首等に掛けることができると共に、この状態の前記発光ユニットを前記支持体によって使用者の正面を照射する姿勢に支持することができる。
【０００９】
なお、前記支持体を可撓性及び弾性を有して変形可能に構成することにより、前記支持体自体を弾性変形させることで、前記外殻体に被せたり、前記支持体を捲って裏返して前記発光ユニットの反投光側に突出させたりすることができるので、前記発光ユニットを前記照明装置本体に取り付けて使用する状態と、前記発光ユニット単独で使用する状態とを簡単に切り換えることができる。
【００１０】
また、前記支持体を前記外殻体に対して順逆向きに着脱自在とすることで、前記支持体を順向きに取り付けて前記外殻体に被せたり、前記支持体を逆向きに取り付けて前記発光ユニットの反投光方向に突出させたりすることができるので、前記発光ユニットを前記照明装置本体に取り付けて使用する状態と、前記発光ユニット単独で使用する状態とを簡単に切り換えることができる。
【発明を実施するための最良の形態】
【００１１】
以下、本発明の第一の実施形態について、図１乃至図６に基づいて説明する。１は照明装置である。この照明装置１は、照明装置本体２と、発光ユニット３とで構成されている。なお、この発光ユニット３は、前記照明装置本体２に対して着脱自在に取り付けられている。
【００１２】
前記照明装置本体２は、基部４と、この基部４に設けられた腕部５と、この腕部５の先端側に設けられた取付部６と、前記基部４に設けられたスイッチ操作部７とを有して構成されている。なお、前記基部４内には、前記スイッチ操作部７によって操作される主スイッチ８と、充電回路９とが設けられている。また、前記取付部６には、前記発光ユニット３に設けられた後述する受電端子１９に接続される給電端子１０が設けられている。
【００１３】
前記発光ユニット３は、外殻体１１と、支持体１２とを有して構成されている。前記外殻体１１は、投光方向（図１、２においては下方、図３においては左方）ほど拡がっている。また、前記外殻体１１の投光側には開口部１３が形成されており、この開口部１３にレンズ１４や反射板１５が設けられている。また、前記外殻体１１及びレンズ１４の内側で且つ前記反射板１５の中央には、光源としての高出力発光ダイオード１６が設けられている。なお、本実施形態では、光源として高出力発光ダイオード１６を用いているが、複数の高輝度発光ダイオードを用いてもよく、また、電球或いは蛍光灯を用いてもよい。また、前記外殻体１１内には、二次電池１７及び点灯回路１８が設けられている。更に、前記外殻体１１の反投光側には、前記給電端子１０に接続される受電端子１９及び補助スイッチ２０が設けられている。また、前記外殻体１１の反投光側には溝部２１が形成されており、この溝部２１にストラップ２２が巻き付け可能に設けられている。
【００１４】
前記支持体１２は、可撓性及び弾性を有する合成ゴム等で形成されている。この支持体１２は、前記外殻体１１の反投光側に固定される取付部２３と、折曲部２４と、先端が拡がった錐状部２５とを有して構成されている。なお、前記支持体１２は、前記発光ユニット３を前記照明装置本体２に取り付けて使用する場合には、前記折曲部２４にて折り曲げられ、前記錐状部２５によって前記外殻体１１の溝部２１及びこの溝部２１に巻き付けられたストラップ２２を覆う。また、前記支持体１２は、前記発光ユニット３を前記照明装置本体２から取り外して単独で使用する場合には、前記錐状部２５を捲って裏返すと共に前記折曲部２４を伸ばすことで、前記錐状部２５を反投光方向（図３における右方）に突出させられる。この際、前記外殻体１１の溝部２１が開放されて前記ストラップ２２が引き出し可能となる。また、この状態では、前記支持体１２の錐状部２５は、前記外殻体１１から離れるほど広くなる。なお、ここで言う反投光方向とは、投光方向の反対方向という意味であるが、投光方向の正反対に限定されるものではない。即ち、本実施形態では、前記支持体１２の錐状部２５を、その中心軸が前記高出発光ダイオード１６の光軸と同軸的或いは平行で且つ投光方向と正反対となるように突出させているが、後述する作用及び効果を奏するのであれば、前記支持体１２の錐状部２５を投光方向と正反対の方向に突出させる必要はなく、前記支持体１２の錐状部２５を前記高出力発光ダイオード１６の光軸に対して若干の角度を持たせて突出させてもよい。
【００１５】
次に、本実施形態の作用について説明する。まず、本実施形態の照明装置１を電気スタンドとして使用する場合について説明する。この場合、前記発光ユニット３を前記照明装置本体２の取付部６に取り付けると共に、前記発光ユニット３の受電端子１９を前記取付部６の給電端子１０に接続する。なお、前記発光ユニット３を前記取付部６に取り付ける前に、予め前記溝部２１に前記ストラップ２２を巻き付けた後、前記支持体１２を前記折曲部２４で折り曲げることで前記錐状部２５で前記ストラップ２２を覆い、これによって、前記ストラップ２２は前記支持体１２の内側に邪魔にならないように収容される。また、前記補助スイッチ２０は、前記発光ユニット３を前記取付部６に取り付ける前に、予め接点Ａ側（前記照明装置本体２側からスイッチ８を介して電力が供給されるライン）に切り換えておく。なお、前記補助スイッチ２０は、前記発光ユニット３を前記取付部６に取り付けた際に自動的に接点Ａ側に切り換わるように構成してもよい。この状態で、電源プラグを交流電源に接続することで、交流電源から供給された電流が整流され、この整流された電流が前記充電回路９、給電端子１０、受電端子１９を経て前記二次電池１７に至り、この二次電池１７が充電される。そして、前記スイッチ操作部７を操作して前記スイッチ８を閉じることで、整流された電流が前記スイッチ８、給電端子１０、受電端子１９、補助スイッチ２０、点灯回路１８を経て前記高出力発光ダイオード１６に至り、この高出力発光ダイオード１６を点灯させる。一方、前記スイッチ８を開くことで、前記点灯回路１８への通電が遮断され、前記高出力発光ダイオード１６は消灯する。なお、前記充電回路９は、前記スイッチ８の開閉に依らず前記二次電池１７を充電させることができると共に、前記二次電池１７が所定の充電量に達すると、前記二次電池１７が過充電とならないように、前記二次電池１７への通電を停止する。
【００１６】
次に、前記発光ユニット３を単独で使用する場合について説明する。この場合、前記発光ユニット３を前記照明装置本体２の取付部６から取り外すことで、前記発光ユニット３の受電端子１９を前記取付部６の給電端子１０から切り離す。そして、前記支持体１２の錐状部２５を捲って裏返すと共に反投光方向に引っ張り、前記折曲部２４を伸ばすことで、前記支持体１２の錐状部２５を反投光方向に突出させる。この状態では、前記支持体１２の錐状部２５は、前記外殻体１１から離れるほど広くなる。そして、このように前記支持体１２の錐状部２５を反投光方向に突出させることで、前記外殻体１１の溝部２１が開放される。更に、このように開放された溝部２１から前記ストラップ２２を引き出し、このストラップ２２を首等に掛けると共に、前記支持体１２の錐状部２５を使用者の胴部に当接させる。このようにして前記発光ユニット３を使用者の身体に装着することで、前記発光ユニット３を持つことなく、投光側が使用者の前方を向くようにすることができる。そしてこの状態で、前記補助スイッチ２０を接点Ｂ側（前記二次電池１７に接続されるライン）に切り換えることで、前記高出力発光ダイオード１６が点灯し、使用者の前方を良好に照射することができる。なお、前述したように、前記支持体１２は、その錐状部２５が前記外殻体１１から離れるほど、即ち反投光方向に向かうほど広くなるように突出するので、使用者の身体に装着した状態で、前記発光ユニット３は比較的姿勢を安定させることができる。また、前述したように、前記支持体１２が合成ゴム等で形成されていることで、使用者の身体に装着した状態で、使用者の身体の凹凸に応じて変形するので、前記発光ユニット３は姿勢をより安定させることができるばかりでなく、前記支持体１２がクッションの役目も果たすことで、使用者の動作によって前記発光ユニット３が揺れて使用者に衝突したとしても、前記発光ユニット３及び使用者に加わる衝撃は、前記支持体１２によって吸収される。また、前記ストラップ２２の長さを調節することで、前記支持体１２が使用者の額に当接するようにして、前記発光ユニット３を使用者の頭部に装着することもできる。この場合も、前記支持体１２が合成ゴムで形成されているので、この支持体１２が額に当たっても痛くないようにできる。更に、前記発光ユニット３を手で把持する場合も、前記支持体１２が合成ゴムで形成されていることで、前記支持体１２が適度に変形すると共に滑りにくいので、持ちやすくすることができる。
【００１７】
以上のように本発明は、光源としての高出力発光ダイオード１６及びこれに電力を供給するための二次電池１７を有する発光ユニット３を照明装置本体２に対して着脱自在とし、前記発光ユニット３が前記照明装置本体２から取り外された状態で単独で使用可能であり、前記発光ユニット３に、ストラップ２２と支持体１２を設け、前記ストラップ２２の不使用時に、前記支持体１２を前記発光ユニット３の外殻体１１に被せて前記ストラップ２２を内側に収容することでこのストラップ２２が邪魔にならないようにすることができると共に、前記発光ユニット３を単独で使用する際に、前記支持体１２を前記発光ユニット３の反投光方向に突出させて前記発光ユニット３を支持することで、前記ストラップ２２を首等に掛けた状態で、前記発光ユニット３を前記支持体１２によって使用者の正面を照射する姿勢に支持することができるものである。
【００１８】
また、前記支持体１２を合成ゴム等によって可撓性及び弾性を有して変形可能に構成することにより、前記支持体１２自体を弾性変形させることで、前記発光ユニット３の外殻体１１に被せたり、前記支持体１２を捲って裏返して前記発光ユニット３の反投光方向に突出させたりすることができるので、前記発光ユニット３を前記照明装置本体２に取り付けて使用する状態と、前記発光ユニット３単独で使用する状態とを簡単に切り換えることができる。
【００１９】
次に、本発明の第二の実施形態について、図７及び図８に基づいて説明する。なお、上記実施形態と共通する部分については、共通の符号を付し、その説明を省略する。３１は照明装置である。この照明装置３１は、照明装置本体２と、発光ユニット３３とで構成されている。なお、この発光ユニット３３は、前記照明装置本体２に対して着脱自在に取り付けられている。
【００２０】
前記発光ユニット３３は、外殻体３４と、この外殻体３４に対して着脱自在な支持体３５とを有して構成されている。前記外殻体３４は、投光方向（図７においては下方、図８においては左方）ほど拡がっている。また、前記外殻体３４の反投光側には溝部３６が形成されており、この溝部３６にストラップ２２が巻き付け可能に設けられている。更に、前記外殻体３４の反投光側には、前記発光ユニット３３の光軸とほぼ同軸的に雄螺子部３７が形成されている。一方、前記支持体３５は、前記外殻体３４の反投光側に形成された雄螺子部３７に螺合される雌螺子部３８と、先端が拡がった錐状部３９とを有して構成されている。なお、前記支持体３５は、前記外殻体３４に対して順逆両方の向きで着脱自在に設けられており、前記発光ユニット３３を前記照明装置本体２に取り付けて使用する場合には、前記支持体３５を順向きにして前記雌螺子部３８を前記雄螺子部３７に螺合させることで、前記錐状部３９によって前記外殻体３４の溝部３６及びこの溝部３６に巻き付けられたストラップ２２を覆うと共に、前記発光ユニット３３を前記照明装置本体２から取り外して単独で使用する場合には、前記支持体３５を逆向きにして前記雌螺子部３８を前記雄螺子部３７に螺合させることで、前記錐状部３９を反投光方向（図８における右方）に突出させられる。そして、このように前記支持体３５を逆向きにして前記外殻体３４に取り付けることで、前記外殻体３５の溝部３６が開放されて前記ストラップ２２が引き出し可能となる。また、この状態では、前記支持体３５の錐状部３９は、前記外殻体３４から離れるほど広くなる。なお、ここで言う反投光方向が投光方向の正反対に限定されないことは、前述した通りである。
【００２１】
次に、本実施形態の作用について説明する。なお、電気的な作用については、第一の実施形態と共通するので、その説明を省略する。まず、本実施形態の照明装置３１を電気スタンドとして使用する場合について説明する。この場合、前記発光ユニット３３を前記照明装置本体２の取付部６に取り付ける。なお、前記発光ユニット３３を前記取付部６に取り付ける前に、予め前記溝部３６に前記ストラップ２２を巻き付けた後、前記支持体３５を順向きにして前記雌螺子部３８を前記雄螺子部３７に螺合させることで、前記錐状部３９で前記ストラップ２２を覆い、これによって、前記ストラップ２２は前記支持体３５の内側に邪魔にならないように収容される。
【００２２】
一方、前記発光ユニット３３を単独で使用する場合には、前記発光ユニット３３を前記照明装置本体２の取付部６から取り外す。そして、前記支持体３５の雌螺子部３８と前記外殻体３４の雄螺子部３７の螺合を解き、前記支持体３５を逆向きとして再び前記雌螺子３８を前記雄螺子３７に対して螺合させることで、前記支持体３５の錐状部３９を反投光方向に突出させる。この状態では、前記支持体３５の錐状部３９は、前記外殻体３４から離れるほど広くなる。そして、このように前記支持体３５の錐状部３９を反投光方向に突出させることで、前記外殻体３４の溝部３６が開放される。更に、このように開放された溝部３６から前記ストラップ２２を引き出し、このストラップ２２を首等に掛けると共に、前記支持体３５の錐状部３９を使用者の胴部に当接させる。このようにして前記発光ユニット３３を使用者の身体に装着することで、前記発光ユニット３３を持つことなく、投光側が使用者の前方を向くようにすることができる。なお、前述したように、前記支持体３５は、その錐状部３９が前記外殻体３４から離れるほど、即ち反投光方向に向かうほど広くなるように突出するので、使用者の身体に装着した状態で、前記発光ユニット３３は比較的姿勢を安定させることができる。また、前述したように、前記支持体３５が前記外殻体３４に対して順逆向きに着脱自在であることで、前記発光ユニット３３を前記照明装置本体２に取り付けて使用する状態と、前記発光ユニット３３単独で使用する状態とを簡単に切り換えることができるばかりでなく、前記発光ユニット３３の構造を単純化することができる。
【００２３】
以上のように本発明は、光源としての高出力発光ダイオード１６及びこれに電力を供給するための二次電池１７を有する発光ユニット３３を照明装置本体２に対して着脱自在とし、前記発光ユニット３３が前記照明装置本体２から取り外された状態で単独で使用可能であり、前記発光ユニット３３に、ストラップ２２と支持体３５を設け、前記ストラップ２２の不使用時に、前記支持体３５を前記発光ユニット３３の外殻体３４に被せて前記ストラップ２２を内側に収容することでこのストラップ２２が邪魔にならないようにすることができると共に、前記発光ユニット３３を単独で使用する際に、前記支持体３５を前記発光ユニット３３の反投光方向に突出させて前記発光ユニット３３を支持することで、前記ストラップ２２を首等に掛けた状態で、前記発光ユニット３３を前記支持体３５によって使用者の正面を照射する姿勢に支持することができる。
【００２４】
また、前記支持体３５に雌螺子部３８を形成し、この雌螺子部３８が前記外殻体３４の雄螺子部３７に対して順逆向きに螺合可能とすることで、前記支持体３５を前記外殻体３４に対して順向きに取り付けて前記錐状部３９を前記発光ユニット３３の外殻体３４に被せたり、前記支持体３５を前記外殻体３４に対して逆向きに取り付けて前記錐状部３９を前記発光ユニット３３の反投光方向に突出させたりすることができるので、前記発光ユニット３３を前記照明装置本体２に取り付けて使用する状態と、前記発光ユニット３３単独で使用する状態とを簡単に切り換えることができる。
【００２５】
なお、本発明は以上の実施形態に限定されるものではなく、発明の要旨の範囲内で種々の変形実施が可能である。例えば、上記第二の実施形態では、支持体を固定するために雄螺子と雌螺子による螺合構造を用いたが、これ以外の固定構造、例えばバヨネット構造を用いてもよい。
【図面の簡単な説明】
【００２６】
【図１】本発明の第一の実施形態を示す照明装置の全体外観図である。
【図２】本発明の第一の実施形態を示す照明装置の発光ユニットの一部を切り欠いた外観図である。
【図３】本発明の第一の実施形態を示す照明装置の発光ユニットを携帯型照明装置として使用する場合の側面図である。
【図４】本発明の第一の実施形態を示す照明装置の発光ユニットを携帯型照明装置として使用する場合の正面図である。
【図５】本発明の第一の実施形態を示す照明装置の発光ユニットを携帯型照明装置として使用する場合の背面図である。
【図６】本発明の第一の実施形態を示す照明装置の回路図である。
【図７】本発明の第二の実施形態を示す照明装置の発光ユニットの一部を切り欠いた外観図である。
【図８】本発明の第二の実施形態を示す照明装置の発光ユニットを携帯型照明装置として使用する場合の外観図である。
【符号の説明】
【００２７】
１，３１  照明装置
２  照明装置本体
３，３３  発光ユニット
１１，３４  外殻体
１２，３５  支持体
１６  高出力発光ダイオード（光源）
１７  二次電池（電池）
２２  ストラップ
【図１】
2007207564.tif 000003
【図２】
2007207564.tif 000004
【図３】
2007207564.tif 000005
【図４】
2007207564.tif 000006
【図５】
2007207564.tif 000007
【図６】
2007207564.tif 000008
【図７】
2007207564.tif 000009
【図８】
2007207564.tif 000010